【手続補正書】
【提出日】平成24年9月13日(2012.9.13)
【手続補正１】
【補正対象書類名】明細書
【補正対象項目名】０００３
【補正方法】変更
【補正の内容】
【０００３】
本発明は、例えば、以下を提供する：
（項目１）
ポリカーボネート鎖を含む反応混合物を形成するために、触媒の遷移金属配位子錯体の存在下、エポキシドを二酸化炭素と合わせることによって、脂肪族ポリカーボネート重合反応を開始するステップと、
該反応混合物を、重合開始剤ではないアニオンを含有する酸と接触させることによって、前記重合反応をクエンチするステップと
を含む方法。
（項目２）
ポリカーボネート鎖を含む反応混合物を形成するために、触媒の遷移金属配位子錯体の存在下、エポキシドと二酸化炭素を合わせることによって、脂肪族ポリカーボネート重合反応を開始するステップと、
鎖移動剤および配位子を該反応混合物に加えることによって、該重合反応をクエンチするステップと
を含む方法であって、
該加えられた配位子が重合開始剤ではなく、該加えられた配位子が、前記遷移金属配位子錯体の遷移金属に対して、該ポリカーボネート鎖または該加えられた鎖移動剤が有する親和性より高い親和性を有する方法。
（項目３）
前記触媒の遷移金属配位子錯体が、重合開始剤である少なくとも１つの配位子と、重合開始剤ではない少なくとも１つの配位子とを含む、項目１または２に記載の方法。
（項目４）
重合開始剤である前記配位子が求核性配位子である、項目３に記載の方法。
（項目５）
前記求核性配位子が、−ＯＲｘ、−Ｏ（Ｃ＝Ｏ）Ｒｘ、−ＮＣ、−ＣＮ、ハロ（例えば、−Ｂｒ、−Ｉ、−Ｃｌ）および−Ｎ３（式中、各Ｒｘは、独立して、水素、場合によって置換されている脂肪族、場合によって置換されているヘテロ脂肪族、場合によって置換されているアリールおよび場合によって置換されているヘテロアリールから選択される）からなる群から選択される、項目４に記載の方法。
（項目６）
Ｒｘが、場合によって置換されている脂肪族、場合によって置換されているヘテロ脂肪族、場合によって置換されているアリールおよび場合によって置換されているヘテロアリールからなる群から選択される、項目５に記載の方法。
（項目７）
重合開始剤でない前記配位子が、サレン配位子を含む、項目３に記載の方法。
（項目８）
前記サレン配位子が、以下からなる群から選択される、項目７に記載の方法
【化２１】
2012503079.tif 000001
（式中、
Ｒｄは、出現するたびに、独立して、
【化２２】
2012503079.tif 000002
の基、場合によって置換されているＣ１〜Ｃ２０脂肪族、場合によって置換されているＣ１〜Ｃ２０ヘテロ脂肪族、場合によって置換されている６から１４員のアリール、場合によって置換されている５から１４員のヘテロアリール、ハロゲン、−ＯＲ１０、−ＯＣ（Ｏ）Ｒ１３、−ＯＣ（Ｏ）ＯＲ１３、−ＯＣ（Ｏ）ＮＲ１１Ｒ１２、−ＣＮ、−ＣＮＯ、−Ｃ（Ｏ）Ｒ１３、−Ｃ（Ｒ１３）ｚＨ（３−ｚ）、−Ｃ（Ｏ）ＯＲ１３、−Ｃ（Ｏ）ＮＲ１１Ｒ１２、−ＮＲ１１Ｒ１２、−Ｎ＋（Ｒ１１）３、−ＮＲ１１Ｃ（Ｏ）Ｒ１０、−ＮＲ１１Ｃ（Ｏ）ＯＲ１３、−ＮＲ１１ＳＯ２Ｒ１３、−ＮＣＯ、−Ｎ３、−ＮＯ２、−Ｓ（Ｏ）ｘＲ１３ｍ  −ＳＯ２ＮＲ１１Ｒ１２、−ＮＯ２、−Ｃ（Ｒ１３）ｚＨ（３−ｚ）、−（ＣＨ２）ｋＲ１４、−（ＣＨ２）ｋ−Ｚ−Ｒ１６−、および−（ＣＨ２）ｋ−Ｚ−（ＣＨ２）ｍ−Ｒ１４からなる群から選択され、２つ以上の適切なＲｄ基は、介在する原子と一緒になって、１つまたは複数の環を形成することができ、
Ｒｄ’は、出現するたびに、独立して、−Ｈ、Ｃ１−Ｃ１２アルキル、Ｃ２−Ｃ１２アルケニル、Ｃ２−Ｃ１２アルキニル、−ＣＮ、−ＣＮＯ、−Ｃ（Ｏ）Ｒ１３、−Ｃ（Ｒ１３）ｚＨ（３−ｚ）、−Ｃ（Ｏ）ＯＲ１３、−Ｃ（Ｏ）ＮＲ１１Ｒ１２、−Ｃ（Ｒ１３）ｚＨ（３−ｚ）、−（ＣＨ２）ｋＲ１４、−（ＣＨ２）ｋ−Ｚ−Ｒ１６−、−（ＣＨ２）ｋ−Ｚ−（ＣＨ２）ｍ−Ｒ１４からなる群から選択され、２つ以上の適切なＲｄ’基は、介在する原子と一緒になって、１つまたは複数の環を形成することができ、
Ａは、−Ｏ−、−Ｓ（Ｏ）ｘ−、−（ＣＨ２）−、−Ｃ（Ｏ）−、−Ｃ（＝ＮＯＲ１０）−、−（Ｃ（Ｒ１４）ｘＨ（２〜ｘ））ｋ−、Ｃ３からＣ８の置換または非置換の炭素環およびＣ１〜Ｃ８の置換または非置換の複素環からなる群から選択される二価のリンカーであり、
Ｒ１０は、出現するたびに、独立して、−Ｈ、−Ｃ（Ｒ１３）ｚＨ（３〜ｚ）、Ｃ１〜Ｃ１２アルキル、Ｃ２〜Ｃ１２アルケニル、Ｃ２〜Ｃ１２アルキニル、Ｃ１２までの炭素環、Ｃ１２までの複素環、−Ｓ（Ｏ）２Ｒ１３、−Ｓｉ（Ｒ１５）３およびヒドロキシル保護基からなる群から選択され、
Ｒ１１およびＲ１２は、出現するたびに、独立して、−Ｈ、場合によって置換されているＣ１〜Ｃ２０脂肪族、場合によって置換されているＣ１〜Ｃ２０ヘテロ脂肪族、場合によって置換されている６から１４員のアリール、場合によって置換されている５から１４員のヘテロアリールおよび−Ｃ（Ｒ１３）ｚＨ（３〜ｚ）からなる群から選択され、Ｒ１１およびＲ１２は、両方存在する場合、場合によって、これらが結合している原子と一緒になって、３〜１０員の環を形成することができ、
Ｒ１３は、出現するたびに、−Ｈ、場合によって置換されているＣ１〜Ｃ２０脂肪族、場合によって置換されているＣ１〜Ｃ２０ヘテロ脂肪族、場合によって置換されている６〜１４員のアリール、場合によって置換されている５〜１４員のヘテロアリールからなる群から独立して選択される、場合によって置換されている部分であり、
Ｒ１４は、出現するたびに、独立して、ハロゲン、−ＯＲ１０、−ＯＣ（Ｏ）Ｒ１３、−ＯＣ（Ｏ）ＯＲ１３、−ＯＣ（Ｏ）ＮＲ１１Ｒ１２、−ＣＮ、−ＣＮＯ、−Ｃ（Ｒ１３）ｚＨ（３−ｚ）、−Ｃ（Ｏ）Ｒ１３、−Ｃ（Ｏ）ＯＲ１３、−Ｃ（Ｏ）ＮＲ１１Ｒ１２、−ＮＲ１１Ｒ１２、−ＮＲ１１Ｃ（Ｏ）Ｒ１３、−ＮＲ１１Ｃ（Ｏ）ＯＲ１０、−ＮＲ１１ＳＯ２Ｒ１３、−ＮＣＯ、−Ｎ３、−ＮＯ２、−Ｓ（Ｏ）ｘＲ１３、−ＳＯ２ＮＲ１１Ｒ１２、Ｃ１２までの複素環およびＣ１２までの炭素環からなる群から選択され、
Ｒ１５は、出現するたびに、独立して、Ｃ１〜Ｃ６アルキル、Ｃ２〜Ｃ６アルケニル、Ｃ２〜Ｃ６アルキニル、およびＣ１２までの置換または非置換の炭素環からなる群から選択され、
Ｒ１６は、出現するたびに、独立して、Ｃ１〜Ｃ１２アルキル、Ｃ２〜Ｃ１２アルケニル、Ｃ２〜Ｃ１２アルキニル、Ｃ１２までの複素環、Ｃ１２までの炭素環および−Ｃ（Ｒ１３）ｚＨ（３〜ｚ）からなる群から選択され、
Ｚは、−（ＣＨ＝ＣＨ）ａ−、−（ＣＨ＝ＣＨ）ａ−、−Ｃ（Ｏ）−、−Ｃ（＝ＮＯＲ１１）−、−Ｃ（＝ＮＮＲ１１Ｒ１２）−、−Ｏ−、−Ｎ（Ｒ１１）−、−Ｎ（Ｃ（Ｏ）Ｒ１３）−、−Ｓ（Ｏ）ｘ−、ポリエーテル、およびポリアミンからなる群から選択される二価のリンカーであり、
ａは、１、２、３または４であり、
【化２３】
2012503079.tif 000003
は、共有結合テザーを介して前記配位子に結合している、１つまたは複数の、独立して定義された共触媒部分を表し、
各Ｚ’は、独立して、本明細書中に記載されている前記重合反応において、共触媒として作用することが可能な任意の部分を表し、適切な共触媒部分として、これらに限らないが、アンモニウム塩、ホスホニウム塩、アルソニウム塩、グアニジウム塩、アゾニウム塩、アミノ基、ホスフィン基、グアニジン基、アミジン基、複素環基およびヘテロアリール基が挙げられ、
ｍは、１から４の整数（１と４を含む）であり、該テザー上に存在するＺ’基の数を表し、
【化２４】
2012503079.tif 000004
は、１つまたは複数の原子からなる共有結合のテザーを表し、
ｋは、１から８の整数（１と８を含む）であり、
ｍは、１から８の整数（１と８を含む）であり、
ｘは、０、１または２であり、
ｙは、０、１、２、３または４であり、
ｚは、１、２または３である）。
（項目９）
重合開始剤ではない前記配位子がポルフィリン配位子である、項目３に記載の方法。
（項目１０）
前記ポルフィリン配位子が、
【化２５】
2012503079.tif 000005
である、項目９に記載の方法
（式中、
Ｒｄは、出現するたびに、独立して、−Ｈ、Ｃ１〜Ｃ１２アルキル、Ｃ２〜Ｃ１２アルケニル、Ｃ２〜Ｃ１２アルキニル、ハロゲン、−ＯＲ１０、−ＯＣ（Ｏ）Ｒ１３、−ＯＣ（Ｏ）ＯＲ１３、−ＯＣ（Ｏ）ＮＲ１１Ｒ１２、−ＣＮ、−ＣＮＯ、−Ｃ（Ｏ）Ｒ１３、−Ｃ（Ｒ１３）ｚＨ（３〜ｚ）、−Ｃ（Ｏ）ＯＲ１３、−Ｃ（Ｏ）ＮＲ１１Ｒ１２、−ＮＲ１１Ｒ１２、−ＮＲ１１Ｃ（Ｏ）Ｒ１０、−ＮＲ１１Ｃ（Ｏ）ＯＲ１３、−ＮＲ１１ＳＯ２Ｒ１３、−ＮＣＯ、−Ｎ３、−ＮＯ２、−Ｓ（Ｏ）ｘＲ１３ｍ−ＳＯ２ＮＲ１１Ｒ１２、−ＮＯ２、−Ｃ（Ｒ１３）ｚＨ（３〜ｚ）、−（ＣＨ２）ｋＲ１４、−（ＣＨ２）ｋ−Ｚ−Ｒ１６−および−（ＣＨ２）ｋ−Ｚ−（ＣＨ２）ｍ−Ｒ１４からなる群から選択され、
Ａは、−Ｏ−、−Ｓ（Ｏ）ｘ−、−（ＣＨ２）−、−Ｃ（Ｏ）−、−Ｃ（＝ＮＯＲ１０）−、−（Ｃ（Ｒ１４）ｘＨ（２〜ｘ））ｋ−、Ｃ３〜Ｃ８の置換または非置換の炭素環およびＣ１〜Ｃ８の置換または非置換の複素環からなる群から選択される二価のリンカーであり、
Ｒ１０は、出現するたびに、独立して、−Ｃ（Ｒ１３）ｚＨ（３〜ｚ）、Ｃ１〜Ｃ１２アルキル、Ｃ２〜Ｃ１２アルケニル、Ｃ２〜Ｃ１２アルキニル、Ｃ１２までの炭素環、Ｃ１２までの複素環、−Ｓ（Ｏ）２Ｒ１３、−Ｓｉ（Ｒ１５）３およびヒドロキシル保護基からなる群から選択され、
Ｒ１１およびＲ１２は、出現するたびに、独立して、−Ｈ、Ｃ１〜Ｃ１２アルキル、Ｃ２〜Ｃ１２アルケニル、Ｃ２〜Ｃ１２アルキニルおよび−Ｃ（Ｒ１３）ｚＨ（３〜ｚ）からなる群から選択され、Ｒ１１およびＲ１２は、両方存在する場合、場合によって、これらが結合している原子と一緒になって、３〜１０員の環を形成でき、
Ｒ１３は、出現するたびに、独立して、−Ｈ、ｂ）Ｃ１〜Ｃ１２アルキル、Ｃ２〜Ｃ１２アルケニル、Ｃ２〜Ｃ１２アルキニル、Ｃ１２までの炭素環、Ｃ１２までの複素環からなる群から選択され、
Ｒ１４は、出現するたびに、独立して、ハロゲン、−ＯＲ１０、−ＯＣ（Ｏ）Ｒ１３、−ＯＣ（Ｏ）ＯＲ１３、−ＯＣ（Ｏ）ＮＲ１１Ｒ１２、−ＣＮ、−ＣＮＯ、−Ｃ（Ｒ１３）ｚＨ（３〜ｚ）、−Ｃ（Ｏ）Ｒ１３、−Ｃ（Ｏ）ＯＲ１３、−Ｃ（Ｏ）ＮＲ１１Ｒ１２、−ＮＲ１１Ｒ１２、−ＮＲ１１Ｃ（Ｏ）Ｒ１３、−ＮＲ１１Ｃ（Ｏ）ＯＲ１０、−ＮＲ１１ＳＯ２Ｒ１３、−ＮＣＯ、−Ｎ３、−ＮＯ２、−Ｓ（Ｏ）ｘＲ１３、−ＳＯ２ＮＲ１１Ｒ１２、Ｃ１２までの複素環およびＣ１２までの炭素環からなる群から選択され、
Ｒ１５は、出現するたびに、独立して、Ｃ１〜Ｃ６アルキル、Ｃ２〜Ｃ６アルケニル、Ｃ２〜Ｃ６アルキニルおよびＣ１２までの置換または非置換の炭素環からなる群から選択され、
Ｒ１６は、出現するたびに、独立して、Ｃ１〜Ｃ１２アルキル、Ｃ２〜Ｃ１２アルケニル、Ｃ２〜Ｃ１２アルキニル、Ｃ１２複素環、Ｃ１２までの炭素環および−Ｃ（Ｒ１３）ｚＨ（３〜ｚ）からなる群から選択され、
Ｚは、−（ＣＨ＝ＣＨ）ａ−、−（ＣＨ≡ＣＨ）ａ−、−Ｃ（Ｏ）−、−Ｃ（＝ＮＯＲ１１）−、−Ｃ（＝ＮＮＲ１１Ｒ１２）−、−Ｏ−、−Ｎ（Ｒ１１）−、−Ｎ（Ｃ（Ｏ）Ｒ１３）−、−Ｓ（Ｏ）ｘ−、ポリエーテルおよびポリアミンからなる群から選択される二価のリンカーであり、
ａは、１、２、３または４であり、
ｋは、１〜８の整数（１と８を含む）であり、
ｍは、１〜８の整数（１と８を含む）であり、
ｘは、０、１、または２であり、
ｙは、０、１、２、３または４であり
ｚは、１、２、または３である）。
（項目１１）
前記触媒の遷移金属錯体が、
【化２６】
2012503079.tif 000006
からなる群から選択される、項目８または項目１０に記載の方法
（式中、Ｍは、前記金属原子であり、原子価が許容する通り、Ｘ１およびＸ２のうちの１つまたは両方が存在し、それぞれが独立して、−ＯＲｘ，−Ｏ（Ｃ＝Ｏ）Ｒｘ，−ＮＣ、−ＣＮ、ハロおよび−Ｎ３からなる群から選択され、各Ｒｘは、独立して、水素、場合によって置換されている脂肪族、場合によって置換されているヘテロ脂肪族、場合によって置換されているアリールおよび場合によって置換されているヘテロアリールから選択される）。
（項目１２）
前記触媒の遷移金属錯体が、以下からなる群から選択される、項目１１に記載の方法。
【化２７】
2012503079.tif 000007
（項目１３）
前記触媒の遷移金属錯体が、以下からなる群から選択される、項目１２に記載の方法
【化２８】
2012503079.tif 000008
（式中、Ｍは前記遷移金属である）。
（項目１４）
前記アニオンが、非求核性である、項目１に記載の方法。
（項目１５）
前記酸がスルホン酸である、項目１に記載の方法。
（項目１６）
前記スルホン酸が、式Ｒ１ＳＯ３Ｈ（式中、Ｒ１は、場合によって置換されている脂肪族、場合によって置換されているアリールおよび場合によって置換されている複素環からなる群から選択されるラジカルである）を有する、項目１５に記載の方法。
（項目１７）
Ｒ１が、場合によって置換されているＣ１〜Ｃ２０のアルキル、Ｃ１〜Ｃ２０のアルケニルおよび場合によって置換されているフェニルからなる群から選択される、項目１６に記載の方法。
（項目１８）
前記スルホン酸が、ｐ−トルエンスルホン酸、メタンスルホン酸、エタンスルホン酸、１−プロパンスルホン酸、トリフルオロメチルスルホン酸、４−ニトロフェニルスルホン酸、スルホ酢酸、クメンスルホン酸、キシレンスルホン酸、３−アミノ−１−プロパンスルホン酸、２−（メチルアミノ）エタンスルホン酸、２−アミノエタンスルホン酸、２−スルファニルエタンスルホン酸、３−ヒドロキシ−１−プロパンスルホン酸、ベンゼンスルホン酸、３−ピリジンスルホン酸、２−ピリジンスルホン酸、４−ピペリジンスルホン酸、２−アミノベンゼンスルホン酸、１−メチルピリジニウム３−スルホネート、１−メチル−２−ピリジニウム−スルホネート、４−ヒドロキシベンゼンスルホン酸、シクロヘキサンスルホン酸、４−エチルベンゼンスルホン酸、２，５−ジメチルベンゼンスルホン酸、４−メチルメタニル酸、４−アミノ−３−メチルベンゼンスルホン酸、１−ナフタレンスルホン酸、２−アミノ−５−メチルベンゼンスルホン酸およびパーフルオロオクタンスルホン酸からなる群から選択される、項目１６に記載の方法。
（項目１９）
前記スルホン酸が、ｐ−トルエンスルホン酸である、項目１８に記載の方法。
（項目２０）
前記酸が、スルファミン酸誘導体である、項目１に記載の方法。
（項目２１）
前記スルファミン酸誘導体が、式Ｒ１Ｒ２Ｎ−ＳＯ３Ｈ（式中、Ｒ１およびＲ２は、−Ｈ、場合によって置換されているアルキル、場合によって置換されているアリールおよび場合によって置換されている複素環からなる群から独立して選択されるラジカルであり、Ｒ１およびＲ２が、場合によって、介在する原子と一緒になって、場合によって置換されている環を形成してもよい）を有する、項目２０に記載の方法。
（項目２２）
前記酸が、少なくとも１個の酸性の水素原子を有するリン酸誘導体である、項目１に記載の方法。
（項目２３）
前記リン酸誘導体が、リン酸；ピロリン酸；トリリン酸；リン酸、ピロリン酸またはトリリン酸のアルキル誘導体；リン酸、ピロリン酸またはトリリン酸のアリール誘導体およびこれらのうちの任意の２つ以上の混合物からなる群から選択される、項目２２に記載の方法。
（項目２４）
前記リン酸誘導体が、式：
【化２９】
2012503079.tif 000009
を有する、項目２２に記載の方法
（式中、Ｒ１およびＲ２は、水素、一リン酸基、二リン酸基、場合によって置換されているアルキル、場合によって置換されているアリール、場合によって置換されている複素環、一リン酸基のエステル誘導体および二リン酸基のエステル誘導体からなる群から独立して選択されるラジカルである）。
（項目２５）
前記酸が固体支持体に会合している、項目１に記載の方法。
（項目２６）
前記固体支持体が、無機固体支持体およびポリマー固体支持体からなる群から選択される、項目２５に記載の方法。
（項目２７）
前記無機固体支持体が、シリカ、アルミナ、ジルコニア、チタニア、ゼオライト、金属酸化物および粘土からなる群から選択される、項目２６に記載の方法。
（項目２８）
前記ポリマー固体支持体が、スチレン、クロロメチル化スチレンおよびジビニルベンゼンのうちの少なくとも１つを含む、項目２６に記載の方法。
（項目２９）
前記ポリマー固体支持体が、ポリスチレン、ポリスルホン、ナイロン、ポリ（クロロメチルスチレン）および架橋結合したエトキシレートアクリレート樹脂ポリマーからなる群から選択される、項目３０に記載の方法。
（項目３０）
前記遷移金属が、６族遷移金属である、項目１、２または３に記載の方法。
（項目３１）
前記遷移金属が、クロムまたはモリブデンである、項目３０に記載の方法。
（項目３２）
前記遷移金属が、７族遷移金属である、項目１、２または３に記載の方法。
（項目３３）
前記遷移金属が、マンガンである、項目３２に記載の方法。
（項目３４）
前記遷移金属が、９族遷移金属である、項目１、２または３に記載の方法。
（項目３５）
前記遷移金属が、コバルトである、項目３４に記載の方法。
（項目３６）
前記遷移金属が、１２族遷移金属である、項目１、２または３に記載の方法。
（項目３７）
前記遷移金属が、カドミウムである、項目３６に記載の方法。
（項目３８）
前記反応混合物中に存在する触媒の遷移金属配位子錯体の量に対して、１０当量未満の前記酸が、前記反応混合物に加えられる、項目１に記載の方法。
（項目３９）
前記反応混合物中に存在する触媒の遷移金属配位子の錯体の量に対して、０．１〜１０当量の間の前記酸が、前記反応混合物に加えられる、項目１に記載の方法。
（項目４０）
前記反応混合物中に存在する触媒の遷移金属配位子錯体の量に対して、約０．１〜約２当量の間の前記酸が、前記反応混合物に加えられる、項目１に記載の方法。
（項目４１）
前記反応混合物中に存在する触媒の遷移金属配位子錯体の量に対して、１〜２当量の間の前記酸が、前記反応混合物に加えられる、項目１に記載の方法。
（項目４２）
前記反応混合物中に存在する触媒の遷移金属配位子錯体の量に対して、約１当量の前記酸が、前記反応混合物に加えられる、項目１に記載の方法。
（項目４３）
前記クエンチのステップが、約−２０℃〜約７０℃の範囲の温度で実施される、項目１に記載の方法。
（項目４４）
前記クエンチのステップが、約０℃〜約３５℃の範囲の温度で実施される、項目４３に記載の方法。
（項目４５）
前記クエンチのステップが、室温で実施される、項目１に記載の方法。
（項目４６）
前記エポキシドが、エチレンオキシド、一置換のアルキルエポキシド、１，２二置換のアルキルエポキシド、１，１−二置換のエポキシドおよび多環式エポキシドからなる群から選択される、項目１に記載の方法。
（項目４７）
前記エポキシドが、エチレンオキシド、プロピレンオキシド、エピクロロヒドリン、グリシジルエーテル、グリシジルエステル、１，２−ブチレンオキシド、２，３−ブチレンオキシド、シクロペンテンオキシド、シクロヘキセンオキシド、シクロオクテンオキシド、ノルボルネンオキシド、グリシジルエーテルおよびリモネンオキシドからなる群から選択される、項目１に記載の方法。
（項目４８）
前記エポキシドがプロピレンオキシドである、項目１に記載の方法。
（項目４９）
前記重合反応が、反応器内で実施される方法であって、
前記反応混合物を含有する前記反応器を減圧するステップと、
該反応器からの過剰の二酸化炭素を除去するステップと、
前記クエンチのステップの前に溶媒を加えることによって、前記反応混合物を希釈するステップと
をさらに含む、項目１に記載の方法。
（項目５０）
前記溶媒が、前記エポキシドより高い沸点を有する、項目４９に記載の方法。
（項目５１）
前記溶媒が、酢酸エチル、酢酸ｎ−プロピル、酢酸イソプロピル、酢酸ブチル、酢酸イソアミル、アセトン、ブタノン、ガンマブチロラクトンおよびテトラヒドロフランからなる群から選択される、項目４９に記載の方法。
（項目５２）
前記クエンチのステップの後で、前記反応混合物を加熱するステップをさらに含む、項目４９に記載の方法。
（項目５３）
前記加熱のステップの結果、過剰なエポキシドが、前記反応混合物から除去される、項目５２に記載の方法。
（項目５４）
前記反応混合物が、約４０℃〜約１００℃の範囲の温度まで加熱される、項目５２に記載の方法。
（項目５５）
前記反応混合物が、約１ａｔｍ〜約０．０５ａｔｍの範囲の圧力下で加熱される、項目５２に記載の方法。
触媒の遷移金属配位子錯体、例えばコバルトサレン錯体は、脂肪族ポリカーボネート（ＡＰＣ）重合反応を触媒するために使用することができる。以前には、このような重合反応は通常、酢酸などのカルボン酸の添加、またはＨＣｌなどの鉱酸を用いてクエンチしていた。このような場合多くは、安定したポリマー生成物を提供するため、これら試薬を多大なモル過剰で提供することが必要とされる。大過剰の酸がクエンチに使用されない場合、粗反応混合物は、不安定となり、その後のポリマー単離ステップの間、静置または加熱時に分解または分子量の低下を示す可能性がある。他方では、多量の酸の存在はまた、その後の単離および精製ステップに対して望ましくない結果を生じ得る。したがって、ある状況では、重合に利用する触媒に対して、モル過剰を必要としない、または多大なモル過剰を必要としないクエンチ剤を使用することが望ましいこともある。
【手続補正２】
【補正対象書類名】図面
【補正対象項目名】全図
【補正方法】変更
【補正の内容】
【図１】
2012503079.tif 000010
【図２】
2012503079.tif 000011
【図３】
2012503079.tif 000012
【図４】
2012503079.tif 000013
【図５】
2012503079.tif 000014
【図６】
2012503079.tif 000015
【図７】
2012503079.tif 000016
【図８】
2012503079.tif 000017
【図９】
2012503079.tif 000018